(57)【要約】【課題】虫の通過を確実に防止できるように防虫網を組み込んだフィルタを提供する。【解決手段】濾材１の周縁部１ａが嵌め込まれる枠材２の後面の開口２ｂを防虫網３で塞ぎ、その防虫網３の周縁部３ａを枠材２の内側面（濾材１の周縁部１ａを囲む面）２ｄに接着した構成とすることにより、防虫網３がフィルタの外側に設置されるフィルタ取付用部材との摺動等によって部分的に枠材２から剥がれるおそれをなくして、虫の通過を確実に防止できるようにした。【選択図】図３
2015229156.tif 000002
【特許請求の範囲】
【請求項１】
シート状の濾材と、前記濾材の周縁部が嵌め込まれる枠材と、前記枠材の少なくとも一方の開口を塞ぐ防虫網とを備えたフィルタにおいて、
前記防虫網の周縁部を前記枠材の内側面に接着したことを特徴とするフィルタ。
【請求項２】
前記防虫網の周縁部を、その周縁に沿って配される線状の芯材を巻き込むように折り返した状態で接着したことを特徴とする請求項１に記載のフィルタ。
【請求項３】
前記防虫網の周縁部の折り返しによって二重になった部位を縫合したことを特徴とする請求項２に記載のフィルタ。
【発明の詳細な説明】
【技術分野】
【０００１】
本発明は、防虫網を備えたフィルタに関する。
【背景技術】
【０００２】
空気清浄装置は、一般に、シート状の濾材を組み込んだフィルタを、ダクト等の空気通路に設けられる取付枠に取り付け、そのフィルタに対して空気を通過させることにより、空気に含まれている異物をフィルタの濾材で捕捉して、空気を清浄化している。
【０００３】
例えば、無農薬で農作物の栽培を行うグリーンハウスでは、外気のハウス内への取入口に空気清浄装置を設置して、外気中の雑菌が付着した土埃や病害虫の侵入防止を図っていることが多い（例えば、特許文献１参照。）。
【先行技術文献】
【特許文献】
【０００４】
【特許文献１】特許第３６３１９５４号公報
【発明の概要】
【発明が解決しようとする課題】
【０００５】
しかし、上記のように外気の室内への取入口に空気清浄装置を設置している場合は、生きた虫がフィルタの枠材とその枠材に着脱可能に組み込まれている濾材との間を通ったり、濾材に捕捉された後に濾材内を移動したりして室内に侵入してしまうことがある。
【０００６】
これに対しては、フィルタの濾材の周縁部が嵌め込まれる枠材の少なくとも一方の開口を防虫網で塞ぎ、その防虫網の周縁部と枠材との間をシールすることが考えられる。ただし、その場合に、枠材の外側に防虫網を配し、その防虫網の周縁部を枠材の外側面（濾材の周縁部を囲む面と反対側の面）に接着等によって固定すると、フィルタをダクト等の空気通路に設けられた取付枠へ取り付ける際に、防虫網が取付枠と摺動して部分的に枠材から剥がれてしまい、防虫性能が低下するおそれがある。
【０００７】
そこで、本発明は、虫の通過を確実に防止できるように防虫網を組み込んだフィルタを提供することを課題とする。
【課題を解決するための手段】
【０００８】
上記の課題を解決するために、本発明は、シート状の濾材と、前記濾材の周縁部が嵌め込まれる枠材と、前記枠材の少なくとも一方の開口を塞ぐ防虫網とを備えたフィルタにおいて、前記防虫網の周縁部を前記枠材の内側面（濾材の周縁部を囲む面）に接着するようにした。このようにすれば、フィルタを空気通路に設けられた取付枠等のフィルタ取付用部材へ取り付ける際にも、フィルタに組み込んだ防虫網がそのフィルタ取付用部材と摺動することがないので、防虫網が部分的に枠材から剥がれるおそれもなく、虫の通過を確実に防止することができる。
【０００９】
上記の構成において、前記防虫網の周縁部を、その周縁に沿って配される線状の芯材を巻き込むように折り返した状態で接着するようにすれば、防虫網を容易に弛みなく張れるようになるので、防虫網の接着作業を効率よく行える。
【００１０】
また、前記防虫網の周縁部の折り返しによって二重になった部位を縫合するようにすれば、予め周縁部に芯材を巻き込んで弛みなく張った防虫網を枠材に組み込んで接着できるようになり、防虫網接着時の作業効率をさらに向上させることができる。
【発明の効果】
【００１１】
本発明のフィルタは、上述したように、濾材の周縁部が嵌め込まれる枠材の少なくとも一方の開口を防虫網で塞ぎ、その防虫網の周縁部を枠材の内側面に接着したものであるから、防虫網がフィルタの外側に設置されるフィルタ取付用部材との摺動等によって部分的に枠材から剥がれるおそれがなく、虫の通過を確実に防止することができる。
【図面の簡単な説明】
【００１２】
【図１】実施形態のフィルタの外観斜視図
【図２】図１の防虫網の組込状態の斜視図
【図３】図１のIII−III線に沿った断面図
【図４】図１のフィルタの組立手順を説明する要部の斜視図
【図５】防虫網の変形例の組込状態の斜視図
【発明を実施するための形態】
【００１３】
以下、図面に基づき本発明の実施形態を説明する。このフィルタは、図１乃至図３に示すように、矩形のシート状に形成された濾材１と、濾材１の周縁部１ａが着脱可能に嵌め込まれ、前面の開口２ａから後面の開口２ｂに（図３の右側から左側に）空気を通す矩形の枠材２と、枠材２の後面の開口２ｂを塞ぐ防虫網３とを備えている。
【００１４】
前記枠材２は、断面略コの字状に形成されており、前面の開口２ａの周縁から内側へ折り曲げられた折曲部２ｃを、枠材２に着脱可能に組み込まれた濾材１に食い込ませて、濾材１が前面の開口２ａから容易に脱落しないようにしている。
【００１５】
前記防虫網３は、化学繊維を素材として濾材１および枠材２よりも若干大きい矩形に形成されており、その周縁部３ａが全周にわたって折り返され、枠材２の後面の開口２ｂを塞ぐように枠材２の内側に組み込まれている。その周縁部３ａは、周縁に沿って全周に配される線状の芯材４を巻き込むように折り返されており、折り返しによって二重になった部位を縫合された状態で、枠材２の内側面（濾材１の周縁部１ａを囲む面）２ｄに接着剤５で接着されている。
【００１６】
前記芯材４は、金属線材を折り曲げて矩形枠状に形成したものである。そして、この芯材４と同じ金属線材で形成された複数の桟６が、芯材４の互いに対向する二辺の間に差し渡されて溶接されており、これらの桟６で空気が通過するときの濾材１および防虫網３の変形を抑えるようになっている。
【００１７】
このフィルタは、上記の構成であり、濾材１の周縁部１ａが嵌め込まれる枠材２の後面の開口２ｂを防虫網３で塞ぎ、その防虫網３の周縁部３ａを枠材２の内側面２ｄに接着したので、空気通路に設けられた取付枠等のフィルタ取付用部材に取り付ける際に、防虫網３がその取付用部材との摺動等によって部分的に枠材２から剥がれるおそれがなく、虫の通過を確実に防止することができる。
【００１８】
このフィルタを組み立てる際には、予め、図３に示したように、防虫網３の周縁部３ａを折り返して芯材４を巻き込み、その折り返しによって二重になった部位を縫合することにより、防虫網３を弛みなく張った状態にしておく。そして、図４に示すように、この状態の防虫網３を枠材２に組み込んで全周にわたって枠材２の内側面２ｄに接着した後、濾材１の周縁部１ａを枠材２に嵌め込めばよい。このようにすれば、芯材４を用いずに防虫網３の周縁部３ａを接着する場合に比べて、防虫網３を容易に弛みなく張った状態にして接着することができるので、その接着作業ひいてはフィルタ組立作業全体を効率よく行うことができる。
【００１９】
なお、上述した実施形態では濾材を枠材に着脱可能に組み込んだが、濾材は枠材に着脱不能に固定することもできる。また、その枠材は、実施形態のような断面略コの字状のものに限らず、例えば断面略Ｌ字状のもの等も用いることができる。
【００２０】
一方、防虫網は、実施形態のように化学繊維で形成されたもののほか、金属製のものも用いることができる。その場合は、図５に示すように、金属製の防虫網３の周縁部３ａを芯材４に重ねて複数個所でスポット溶接し、この状態で実施形態と同様に枠材に組み込んで、枠材の内側面に接着すればよい。このようにしても、効率よく防虫網の接着作業を行うことができる。また、防虫網の配置は、実施形態では枠材の空気流出側となる後面の開口を塞ぐようにしたが、枠材の空気流入側となる前面の開口を塞ぐようにしてもよいし、枠材の両方の開口を塞ぐようにしてもよい。
【符号の説明】
【００２１】
１  濾材
１ａ  周縁部
２  枠材
２ａ、２ｂ  開口
２ｃ  折曲部
２ｄ  内側面
３  防虫網
３ａ  周縁部
４  芯材
５  接着剤
６  桟
【図１】
2015229156.tif 000003
【図２】
2015229156.tif 000004
【図３】
2015229156.tif 000005
【図４】
2015229156.tif 000006
【図５】
2015229156.tif 000007